(57)【特許請求の範囲】
【請求項１】
背負いベルト（２）に用いて背負い鞄（１）を背負った場合に、枠形状とした連結具本体（３）の上半部内側に当たる部分を使用者の身体（Ｂ）の外方にひねった形状としたことを特徴とする背負いベルト用連結具。
【請求項２】
前記連結具本体（３）を、両側辺（３ａ、３ａ）と支持辺（３ｂ）及び押さえ辺（３ｃ）より略四角枠形状として形成すると共に、両側辺（３ａ、３ａ）の間に連結桟（４）を掛け渡し、さらに支持辺（３ｂ）の下側に係止部（５）を設け、前記一側辺（３ａ）の支持辺（３ｂ）寄り端部を他側辺（３ａ）の支持辺（３ｂ）寄り端部より持ち上げたことを特徴とする請求項１記載の背負いベルト用連結具。
【請求項３】
前記連結具本体（３）を、両側辺（３ａ、３ａ）と支持辺（３ｂ）及び連結辺（３ｄ）より略四角枠形状として形成すると共に、支持辺（３ｂ）の下側に係止部（５）を設け、前記一側辺（３ａ）の支持辺（３ｂ）寄り端部を他側辺（３ａ）の支持辺（３ｂ）寄り端部より持ち上げたことを特徴とする請求項１記載の背負いベルト用連結具。
【請求項４】
前記連結具本体（３）を、両側辺（３ａ、３ａ）と支持辺（３ｂ）及び連結辺（３ｄ）より略四角枠形状として形成すると共に、ピン状の係止部材（８）を連結辺（３ｄ）に回動自在に取り付け、さらに前記一側辺（３ａ）の支持辺（３ｂ）寄り端部を他側辺（３ａ）の支持辺（３ｂ）寄り端部より持ち上げたことを特徴とする請求項１記載の背負いベルト用連結具。
【発明の詳細な説明】
【０００１】
【発明の属する技術分野】
この発明は、ランドセル、リュクサック、その他の背負い鞄の背負いベルトに用いる背負いベルト用連結具に関するものである。
【０００２】
【従来の技術】
従来、この種の背負いベルト用連結具は、図６に示すように、例えば背負い鞄１として例示したランドセルの背負いベルト２に用いるものでは、図７に示すように、連結具本体３を、両側辺３ａ、３ａと支持辺３ｂ及び連結辺３ｄより略四角枠形状として形成しており、ピン状の係止部材８を前記連結辺３ｄに回動自在に取り付けると共に、背負いベルト２の固定側２ａをこの連結辺３ｄに取り付け、背負いベルト２の着脱側２ｂの係止穴６に係止部材８を係止させて、この着脱側２ｂを背負いベルト２の固定側２ａに取り付けた止め輪１１に通すようにしたものとしている。
【０００３】
【発明が解決しようとする課題】
しかしながら、従来の背負いベルト用連結具をランドセル等の背負い鞄１の背負いベルト２に用いると、背負い鞄１を背負った場合には、使用者の胸から脇にかけた位置においては背負いベルト２の全幅が接触しないものとなる。すなわち、背負い鞄１の背負いベルト２は、略直線状としているため、背負い鞄１を背負った場合には、図８に示すように、使用者の胸から脇にかけた位置においては背負いベルト２の固定側２ａの内側縁が接触することになり、この背負いベルト２が使用者の身体Ｂにフィットせず、背負い鞄１を不安定な状態で背負うことになるので、背負い鞄１が重く感じるという課題を有していた。
【０００４】
そこで、この発明は、上記従来の背負いベルト用連結具が有する課題を解決するものであり、ランドセル等の背負い鞄の背負いベルトに用いた場合に、使用者の胸から脇にかけた位置においても背負いベルトの全幅が接触するようにし、背負い鞄の重量をこの背負いベルトの全幅で受けるようにして、背負い鞄を安定した状態で背負うことができるようにし、背負い鞄を軽く感じさせるようにした背負いベルト用連結具を提供することを目的としてなされたものである。
【０００５】
【課題を解決するための手段】
そのため、この発明の背負いベルト用連結具は、背負いベルト２に用いて背負い鞄１を背負った場合に、枠形状とした連結具本体３の上半部内側に当たる部分を使用者の身体Ｂの外方にひねった形状としている。
【０００６】
そして、前記連結具本体３は、両側辺３ａ、３ａと支持辺３ｂ及び押さえ辺３ｃより略四角枠形状として形成すると共に、両側辺３ａ、３ａの間に連結桟４を掛け渡し、さらに支持辺３ｂの下側に係止部５を設け、前記一側辺３ａの支持辺３ｂ寄り端部を他側辺３ａの支持辺３ｂ寄り端部より持ち上げたものとすることができる。
【０００７】
また、前記連結具本体３は、両側辺３ａ、３ａと支持辺３ｂ及び連結辺３ｄより略四角枠形状として形成すると共に、支持辺３ｂの下側に係止部５を設け、前記一側辺３ａの支持辺３ｂ寄り端部を他側辺３ａの支持辺３ｂ寄り端部より持ち上げたものとすることができる。
【０００８】
さらに、前記連結具本体３は、両側辺３ａ、３ａと支持辺３ｂ及び連結辺３ｄより略四角枠形状として形成すると共に、ピン状の係止部材８を連結辺３ｄに回動自在に取り付け、さらに前記一側辺３ａの支持辺３ｂ寄り端部を他側辺３ａの支持辺３ｂ寄り端部より持ち上げたものとすることができる。
【０００９】
【発明の実施の形態】
以下、この発明の背負いベルト用連結具を背負い鞄の背負いベルトに用いた実施の形態を、図面に基づいて詳細に説明する。
【００１０】
図１は、この発明の背負いベルト用連結具を背負い鞄１として例示したランドセルの背負いベルト２に用いた状態を示している。この発明の背負いベルト用連結具は、図２に示すように、背負いベルト２に用いて背負い鞄１を背負った場合に、略四角枠形状とした連結具本体３の上半部内側に当たる部分を、使用者の身体Ｂの外方にひねった形状としている。
【００１１】
すなわち、この発明の背負いベルト用連結具は、図３に示すように、連結具本体３を、両側辺３ａ、３ａと支持辺３ｂ及び押さえ辺３ｃより略四角枠形状として形成すると共に、前記一側辺３ａの支持辺３ｂ寄り端部を他側辺３ａの支持辺３ｂ寄り端部より持ち上げ、この連結具本体３の上半部を図中の仮想線の位置から実線の位置までひねった形状としている。
【００１２】
前記背負いベルト用連結具は、連結具本体３の内側において背負いベルト２の挿通方向と直角に連結桟４を設け、さらに支持辺３ｂの下側に係止部５を設けている。
【００１３】
そして、背負いベルト２の固定側２ａを連結桟４に取り付けると共に、背負いベルト２の着脱側２ｂの係止穴６に係止部５を係止させて、背負いベルト２の着脱側２ｂを押さえ辺３ｃの下に通すようにしている。
【００１４】
前記側辺３ａ、３ａは、長手方向の垂直断面を流線形状としており、係止部５がこの側辺３ａ、３ａより下方に突き出ないようにして、背負いベルト２を連結していない場合にも安全なものとしている。
【００１５】
前記押さえ辺３ｃは、後方側へ倒すように傾斜させたものとしており、この押さえ辺３ｃの下に通す背負いベルト２の着脱側２ｂを押さえ込むようにしている。
【００１６】
前記係止部５は、略Ｌ字状に屈曲したものとして係止穴６から外れ難いものとしたり、図示していないが、下端に丸頭を形成したものとして係止穴６に係止し易いものとすることができる。
【００１７】
なお、前記背負いベルト２の固定側２ａの下側には、実施形態で示したものでは、背負いベルト２の着脱側２ｂを挿通する穴（図示せず）を設けると共に、係止部５を当接させておくようにした当て生地７を取り付けたものとしているが、この当て生地７はあってもなくてもよい。
【００１８】
また、この発明の背負いベルト用連結具は、図４に示すように、連結具本体３を、両側辺３ａ、３ａと支持辺３ｂ及び連結辺３ｄより略四角枠形状として形成すると共に、前記一側辺３ａの支持辺３ｂ寄り端部を他側辺３ａの支持辺３ｂ寄り端部より持ち上げ、この連結具本体３の上半部を図中の仮想線の位置から実線の位置までひねった形状としてもよい。
【００１９】
前記背負いベルト用連結具は、支持辺３ｂの下側に係止部５を設けており、図示していないが、背負いベルト２の固定側２ａを連結辺３ｄに取り付け、背負いベルト２の着脱側２ｂの係止穴６に係止部５を係止させて、この着脱側２ｂを背負いベルト２の固定側２ａに取り付けた止め輪に通すようにしている。
【００２０】
前記側辺３ａ、３ａは、図３に示すものと同様、長手方向の垂直断面を流線形状としており、係止部５がこの側辺３ａ、３ａより下方に突き出ないようにして、背負いベルト２を連結していない場合にも安全なものとしている。
【００２１】
また、前記係止部５も、図３に示すものと同様、略Ｌ字状に屈曲したものとして係止穴６から外れ難いものとしたり、図示していないが、下端に丸頭を形成したものとして係止穴６に係止し易いものとすることができる。
【００２２】
さらに、この発明の背負いベルト用連結具は、図５に示すように、連結具本体３を、両側辺３ａ、３ａと支持辺３ｂ及び連結辺３ｄより略四角枠形状として形成すると共に、ピン状の係止部材８を前記連結辺３ｄに回動自在に取り付けると共に、前記一側辺３ａの支持辺３ｂ寄り端部を他側辺３ａの支持辺３ｂ寄り端部より持ち上げ、この連結具本体３の上半部を図中の仮想線の位置から実線の位置までひねった形状とすることができる。
【００２３】
前記背負いベルト用連結具は、図示していないが、背負いベルト２の固定側２ａを連結辺３ｃに取り付け、背負いベルト２の着脱側２ｂの係止穴６に係止部材８を係止させて、この着脱側２ｂを背負いベルト２の固定側２ａに取り付けた止め輪に通すようにしている。
【００２４】
以上のように構成したこの発明の背負いベルト用連結具を、図２に示すようにランドセル等の背負い鞄１の背負いベルト２に用いると、この背負い鞄１を背負った場合には、使用者の胸から脇にかけた位置において、背負いベルト２の固定側２ａの全幅が接触するようになり、この背負いベルト２が使用者の身体Ｂにフィットしたものとなる。
【００２５】
また、図３及び図４に示す実施形態におけるこの発明の背負いベルト用連結具は、背負いベルト２の着脱側２ｂの係止穴６に係止させた係止部５が外側に突出せず安全なものとなり、さらに背負い鞄１の背負いベルト２に用いる場合にそのベルト２が弛んだとしても、係止部５が回動して立ち上がるようなことはなくより安全なものとなる。
【００２６】
【発明の効果】
この発明の背負いベルト用連結具は、以上に述べたように構成されているため、背負い鞄の背負いベルトに用いた場合には、使用者の胸から脇にかけた位置においても背負いベルトの全幅が接触するようにし、ランドセルの重量をこの背負いベルトの全幅で受けるようにしたので、背負い鞄を安定した状態で背負うことができるものとなり、背負い鞄を軽く感じさせるものとなった。
【図面の簡単な説明】
【図１】この発明の背負いベルト用連結具を背負い鞄として例示したランドセルの背負いベルトに用いた状態を示す斜視図である。
【図２】この発明の背負いベルト用連結具を背負いベルトに用いたランドセルを背負った状態を示す説明図である。
【図３】図１及び図２に示したこの発明の背負いベルト用連結具の斜視図である。
【図４】この発明の背負いベルト用連結具の他の実施形態を示す斜視図である。
【図５】この発明の背負いベルト用連結具のさらに他の実施形態を示す斜視図である。
【図６】従来の背負いベルト用連結具を背負い鞄として例示したランドセルの背負いベルトに用いた状態を示す斜視図である。
【図７】従来の背負いベルト用連結具の一実施形態を示す斜視図である。
【図８】従来の背負いベルト用連結具を背負いベルトに用いたランドセルを背負った状態を示す説明図である。
【符号の説明】
１  背負い鞄
２  背負いベルト
３  連結具本体
３ａ  側辺
３ｂ  支持辺
３ｃ  押さえ辺
３ｄ  連結辺
５  係止部
８  係止部材
【図１】
0003834703.tif 000002
【図２】
0003834703.tif 000003
【図３】
0003834703.tif 000004
【図４】
0003834703.tif 000005
【図５】
0003834703.tif 000006
【図６】
0003834703.tif 000007
【図７】
0003834703.tif 000008
【図８】
0003834703.tif 000009